【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
遊技盤と、該遊技盤が取り付けられる本体枠と、前記遊技盤に設けられ前記本体枠によって支持されるピン部を有するブラケット部と、を備える遊技機であって、
前記遊技盤は、所定の位置に貫通孔が形成され、
前記ブラケット部は、
前記遊技盤の一方の面側に取り付けられる第１のブラケットと、
前記遊技盤の他方の面側に取り付けられる第２のブラケットと、
前記遊技盤の前記貫通孔に挿通され、一端部にネジ部を有する軸部と、
前記軸部のネジ部に螺合する圧接部材と、を有し、
前記第１のブラケットまたは前記第２のブラケットは前記軸部の他端部が固着されているとともに、他方のブラケットは前記一端部が挿通される挿通孔が形成され、
前記第１のブラケットと前記第２のブラケットとは、前記遊技盤を挟み込むように取り付けられ前記貫通孔および前記挿通孔に挿通された前記軸部を介して固定され、
前記第１のブラケットおよび前記第２のブラケットのうち前記軸部の他端部が固着されるブラケットは、前記軸部の径よりも小径の孔が形成され、前記軸部の他端部が当該孔に圧入され固定され、
前記圧接部材は、前記遊技盤の前記貫通孔および前記他方のブラケットの前記挿通孔に挿通された前記軸部のネジ部に螺合し、前記他方のブラケットに圧接する、
ことを特徴とする遊技機。
【請求項２】
遊技盤と、該遊技盤が取り付けられる本体枠と、前記遊技盤に設けられ前記本体枠によって支持されるピン部を有するブラケット部と、を備える遊技機であって、
前記遊技盤は、所定の位置に貫通孔が形成され、
前記ブラケット部は、
前記遊技盤の一方の面側に取り付けられる第１のブラケットと、
前記第１のブラケットと一体に形成され、前記遊技盤の他方の面側に取り付けられる第２のブラケットと、
前記遊技盤の前記貫通孔に挿通され、一端部にネジ部を有するとともに他端部はブラケットに圧接する圧接部を有する軸部と、を有し、
一体に形成された第１のブラケットおよび第２のブラケットは、前記軸部を挿通する挿通孔が形成されているとともに、当該第１のブラケットまたは当該第２のブラケットは、前記挿通孔に対応する部位に前記軸部のネジ部に螺合する螺合部が形成され、
前記第１のブラケットと前記第２のブラケットとは、前記遊技盤を挟み込むように取り付けられ前記貫通孔および前記挿通孔に挿通された前記軸部を介して固定される、
ことを特徴とする遊技機。
【請求項３】
前記遊技盤は、前記ブラケット部を収容し、位置ズレを防止するブラケット収容凹部が形成されている
ことを特徴とする請求項１または２記載の遊技機。
【請求項４】
前記遊技盤は所定の距離離間して複数の前記貫通孔が形成され、前記ブラケット部は当該貫通孔の数に応じた複数の前記軸部を有する
ことを特徴とする請求項１〜３の何れか一項に記載の遊技機。
【手続補正２】
【補正対象書類名】明細書
【補正対象項目名】０００８
【補正方法】変更
【補正の内容】
【０００８】
上記課題を解決するため、請求項１に記載の本発明の遊技機は、遊技盤と、該遊技盤が取り付けられる本体枠と、前記遊技盤に設けられ前記本体枠によって支持されるピン部を有するブラケット部と、を備える遊技機であって、前記遊技盤は、所定の位置に貫通孔が形成され、前記ブラケット部は、前記遊技盤の一方の面側に取り付けられる第１のブラケットと、前記遊技盤の他方の面側に取り付けられる第２のブラケットと、前記遊技盤の前記貫通孔に挿通され、一端部にネジ部を有する軸部と、前記軸部のネジ部に螺合する圧接部材と、を有し、前記第１のブラケットまたは前記第２のブラケットは前記軸部の他端部が固着されているとともに、他方のブラケットは前記一端部が挿通される挿通孔が形成され、前記第１のブラケットと前記第２のブラケットとは、前記遊技盤を挟み込むように取り付けられ前記貫通孔および前記挿通孔に挿通された前記軸部を介して固定され、前記第１のブラケットおよび前記第２のブラケットのうち前記軸部の他端部が固着されるブラケットは、前記軸部の径よりも小径の孔が形成され、前記軸部の他端部が当該孔に圧入され固定され、前記圧接部材は、前記遊技盤の前記貫通孔および前記他方のブラケットの前記挿通孔に挿通された前記軸部のネジ部に螺合し、前記他方のブラケットに圧接する、ことを特徴とする。
【手続補正３】
【補正対象書類名】明細書
【補正対象項目名】０００９
【補正方法】変更
【補正の内容】
【０００９】
このように、第１のブラケットと第２のブラケットとを、遊技盤を挟み込むように、当該遊技盤に形成された貫通孔に挿通された軸部を介して固定するようにしているので、ピン部を有するブラケット部が設けられた遊技盤においては、ピン部にかかる荷重は、軸部を介して第１のブラケットおよび第２のブラケットに伝達され、当該遊技盤の両面（一方の面および他方の面）に分散して均等にかかるため、遊技盤の片面のみにかかる偏荷重を抑制することが可能になる。また、軸部を遊技盤に形成された貫通孔に挿通し、この軸部を介して第１のブラケットおよび第２のブラケットを固定するようにしているので、ブラケット部の位置ズレを防止することができるとともに、ブラケット部を遊技盤に確実に固定することが可能になる。
また、遊技盤に形成された貫通孔および一方のブラケットに形成された挿通孔に、他方のブラケットに固着された軸部を挿通し、この軸部のネジ部に圧接部材（ナット）を取り付けてブラケット部を遊技盤に固定するようにしているので、軸部を貫通孔および挿通孔に挿通し、これのネジ部に圧接部材を取り付けるだけで、ブラケット部の遊技盤への取り付け作業を容易に実施することが可能になる。
さらに、軸部の他端部は、その他端部が固着されるブラケットに形成された孔に圧入されて固定されるようにしているので、ブラケット部を遊技盤に固定するための固定部の不必要な突出箇所を抑制することが可能になる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
上記課題を解決するため、請求項２に記載の本発明の遊技機は、遊技盤と、該遊技盤が取り付けられる本体枠と、前記遊技盤に設けられ前記本体枠によって支持されるピン部を有するブラケット部と、を備える遊技機であって、前記遊技盤は、所定の位置に貫通孔が形成され、前記ブラケット部は、前記遊技盤の一方の面側に取り付けられる第１のブラケットと、前記第１のブラケットと一体に形成され、前記遊技盤の他方の面側に取り付けられる第２のブラケットと、前記遊技盤の前記貫通孔に挿通され、一端部にネジ部を有するとともに他端部はブラケットに圧接する圧接部を有する軸部と、を有し、一体に形成された第１のブラケットおよび第２のブラケットは、前記軸部を挿通する挿通孔が形成されているとともに、当該第１のブラケットまたは当該第２のブラケットは、前記挿通孔に対応する部位に前記軸部のネジ部に螺合する螺合部が形成され、前記第１のブラケットと前記第２のブラケットとは、前記遊技盤を挟み込むように取り付けられ前記貫通孔および前記挿通孔に挿通された前記軸部を介して固定される、ことを特徴とする。
【手続補正９】
【補正対象書類名】明細書
【補正対象項目名】００１６
【補正方法】変更
【補正の内容】
【００１６】
請求項３に記載の本発明は、請求項１または２記載の発明の構成に加えて、前記遊技盤は、前記ブラケット部を収容し、位置ズレを防止するブラケット収容凹部が形成されていることを特徴とする。
【手続補正１０】
【補正対象書類名】明細書
【補正対象項目名】００１８
【補正方法】変更
【補正の内容】
【００１８】
請求項４に記載の本発明は、請求項１〜３の何れか一項に記載の発明の構成に加えて、前記遊技盤は所定の距離離間して複数の前記貫通孔が形成され、前記ブラケット部は当該貫通孔の数に応じた複数の前記軸部を有することを特徴とする。